(57)【要約】【課題】  車両のパワーウインドウなどのモータをリレー方式で駆動する駆動装置であって、水没時にも、電食や誤動作等が生じ難く、操作に応じた動作が確実に実現される駆動装置を提供する。【解決手段】  正転用リレーと逆転用リレーのコイル２ａ，３ａの両端子をそれぞれ短絡させるための短絡ラインＬＳ１，ＬＳ２と、これら短絡ラインをそれぞれ開閉するトランジスタ２１，２２と、装置の水没を検出してトランジスタ２１，２２を両方ともオン状態とする手段（水没検出用パッド２８，２９など）と、例えば正転用リレーコイル２ａの通電ライン上に接続され、正転方向のモータの作動を操作部が指令した操作状態になると閉状態となる通電用スイッチ接点２５と、正転側短絡ラインＬＳ１上に接続され、通電用スイッチ接点２５が閉状態になる動作に連動して開状態となる短絡解除用スイッチ接点３０とを備えた構成とする。【選択図】  図１
2005065442.tif 000002
【特許請求の範囲】
【請求項１】
モータに電源供給してそれぞれモータを正転又は逆転させる正転用リレーと逆転用リレーを有し、モータの正転方向又は逆転方向の動作を指令する操作部の作動状態に応じて、前記二つのリレーのうちのいずれか一方を作動させてモータを正転方向又は逆転方向に駆動する駆動装置であって、
本装置の水没を検出する水没検出手段と、
前記正転用リレーと逆転用リレーのコイルの両端子をそれぞれ短絡させるための正転側短絡ライン及び逆転側短絡ラインと、
これら正転側短絡ラインと逆転側短絡ラインをそれぞれ開閉する正転側短絡用スイッチング素子及び逆転側短絡用スイッチング素子と、
前記水没検出手段が水没を検出すると、前記正転側短絡用スイッチング素子及び逆転側短絡用スイッチング素子を両方ともオン状態とする短絡制御手段と
を備えたことを特徴とする駆動装置。
【請求項２】
前記正転用リレーと逆転用リレーのうちの少なくとも何れか一方の通電ライン上に接続され、接続された通電ラインに係る方向のモータの作動を前記操作部が指令した操作状態になると閉状態となる通電用スイッチ接点と、
前記正転側短絡ラインと逆転側短絡ラインのうち、前記通電用スイッチ接点が接続された通電ラインの側の短絡ライン上に接続され、前記通電用スイッチ接点が閉状態になる動作に連動して開状態となる短絡解除用スイッチ接点と
を備えたことを特徴とする請求項１記載の駆動装置。
【発明の詳細な説明】
【技術分野】
【０００１】
本発明は、車両のパワーウインドウ開閉用などのモータを駆動する駆動装置に係り、車両の海などへの転落などによる水没事故が生じた場合でも、電食や誤動作が生じ難く、しかも操作に応じた動作が確実に実現される信頼性の高い駆動装置に関する。
【背景技術】
【０００２】
一般に、車両のパワーウインドウ（特に運転席側ウインドウ）などの開閉機構の制御方式としては、挟み込み検出時のウインドウの自動反転機能（挟み込み防止機能）等を実現する電子制御が主流になっている。このため、前記開閉機構の駆動源であるモータに適宜電源供給してその動作を制御する駆動装置としては、例えば特許文献１〜３に示されるように、リレーによる駆動方式を採用し、マイクロコンピュータ（以下、マイコンという）を含む制御回路を備えたものが一般的になっている。
【０００３】
即ち、基本的にこの種の駆動装置は、例えば図２（ａ）又は（ｂ）に示すように、モータ１に電源供給してモータ１をそれぞれ正転方向（例えば車両ウインドウを開けるＤＯＷＮ方向）又は逆転方向（例えば車両ウインドウを閉じるＵＰ方向）に駆動するための二つのリレー２，３と、モータ１の正転方向又は逆転方向の作動を指令するための操作スイッチ４，５と、この操作スイッチ４，５の操作入力を受けてリレー２，３を制御する制御回路６とを有する。
【０００４】
ここで、各リレーは、それぞれ励磁用のリレーコイル２ａ，３ａと、例えばコモン端子（以下、Ｃ端子という。），ノーマルオープン端子（以下、ＮＯ端子という。）及びノーマルクローズド端子（以下、ＮＣ端子という。）を有する接点部２ｂ，３ｂとよりなり、リレーコイルの通電（即ち、励磁）が行われていない非作動状態ではＣ端子とＮＣ端子が接続された状態となり、リレーコイルの通電が行われた作動状態ではＣ端子とＮＯ端子が接続された状態となる。
これらリレー２，３のＮＯ端子は、電源ラインＬ１（電源の高電位側に接続されたライン；例えば１２Ｖ）に接続され、ＮＣ端子は、グランドラインＬＧに接続されている。またリレーのＣ端子は、モータコイルの両端子のうちのいずれか一方（正転又は逆転を実現する所定の端子）に接続されている。
【０００５】
また操作スイッチ４，５は、車両の運転者などが操作可能な共通の操作部（揺動する操作ノブなど）の操作により作動するスイッチ接点（ノーマルオープン型のいわゆるａ接点）を有する。各スイッチ接点は、Ｃ端子が例えばグランドラインＬＧに接続され、ＮＯ端子が制御回路６の入力端子に接続されるとともに、プルアップ抵抗を介して例えば電源ラインＬ２に接続されている。
【０００６】
また制御回路６は、各リレーコイル２ａ，３ａの通電ライン上（図２（ａ）ではグランド側、図２（ｂ）では高電位側）にそれぞれ設けられたスイッチング素子（この場合、図２（ａ）ではＮＰＮ型トランジスタ７，８、図２（ｂ）ではＰＮＰ型トランジスタ９，１０）と、このスイッチング素子を駆動制御する処理回路１１（例えば、ワンチップのマイコンを含むもの）とを備える。
【０００７】
この処理回路１１は、操作スイッチ４，５の各ＮＯ端子の端子電圧を読み込み、操作部が何れかの向きに操作されたか否かの判定を行い、その判定結果に応じて所定のリレーコイルの通電制御（即ち、モータの正転又は逆転の駆動制御）を実行する。即ち処理回路１１は、操作部が例えば一方向（正転を指令する方向）に操作されて、操作スイッチ４のＣ端子と一方のＮＯ端子が接続された状態になると、このＮＯ端子の端子電圧がグランドレベルとなることで、モータ１を例えば正転させる操作指令が入力されたと判定し、正転側のスイッチング素子（トランジスタ７又は９）をオンする駆動信号を出力する。そして、正転側のスイッチング素子がオンすると、正転側のリレー２が作動して、そのリレー２のＣ端子とＮＯ端子を介して、モータコイルの両端子のうちの一方（正転側の端子）だけが電源ラインＬ１に接続されて、モータが例えば正転する。
【０００８】
なお、例えば車両のパワーウインドウでは、車種又は座席（特に運転席側ウインドウ）によっては、オート動作機能（例えば操作ノブを大きく開方向に操作すると、操作ノブの操作を止めても、全開位置までウインドウが自動的に動作する機能）が設けられる。この場合には、操作スイッチの接点としてオート動作用の接点がさらに設けられ、この接点がオンすると（即ち、オート動作が指令されると）、処理回路１１の制御で何れかのリレーが全開又は全閉位置まで駆動され続け、指令された方向のオート動作が実現される構成となっている。
【０００９】
【特許文献１】特開平１１−３６７００号公報
【特許文献２】特開平１１−６２３８３号公報
【特許文献３】特開平１１−１３１９０８号公報
【発明の開示】
【発明が解決しようとする課題】
【００１０】
しかし、上記従来の駆動装置においては、水没時にリレーコイルの下流側でリークが発生した場合、そのリーク抵抗によっては、何れか一方又は両方のリレーがユーザの意思に無関係にオンして、ウインドウが勝手に作動したり、ウインドウがユーザの操作に応じて作動しなくなったりする問題があった。
【００１１】
そこで、特許文献１には、水没時にウインドウが勝手に動作する問題を解消するため、水没を検出して両リレーを同時にオンしてモータコイルの両端子を何れも電源ラインに接続する技術が開示されている。しかしこの場合には、水没時にモータコイルの両端子側が高電位（バッテリー電圧）になるため、グランドレベルである筐体（車両のボディ）へのリークによるモータコイルやその通電ラインを構成する回路導体等の電食（電気の流れにより生じる腐食）が著しく促進される弊害や、万が一、モータ通電ラインを構成するハーネスがドアとボディの間に挟み込まれていた場合などには、水没時に両リレーが同時にオンされた時点で発煙又は発火が発生する恐れがあるという問題がある。
【００１２】
なお、パワーウインドウなどの車両におけるシステムの駆動装置では、車両全体がグランド電位を占める中で、バッテリー電圧を出力する端子その他の回路導体は、水没時の電食の進行が非常に早く、水没時に最終的には腐食してオープンに至って本来の機能を満足しなくなるため、それによりシステムの誤動作を招く恐れがある。また、バッテリー電圧を出力する端子等の周囲では、バッテリー電圧とグランド電位の間での電気分解のため、水没時に電荷の流れが急速に始まり、周辺の回路が水没時にリークし易く、それにより誤動作を引き起こす可能性が高いという問題がった。
また、特許文献１の技術では、水没時に操作に応じたモータの動作を確実に実現することができないという問題もある。
【００１３】
次に、特許文献２，３には、ウインドウの開方向の操作時に、ウインドウの閉方向のリレーコイルを短絡させることによって、水没時でもウインドウの開方向の動作がユーザ操作に応じて実現されるようにした技術が開示されている。しかしこの技術では、水没時にユーザが操作していないにもかかわらずウインドウが何れかの方向に勝手に動作してしまう誤動作を防止できない。
【００１４】
そこで本発明は、車両のパワーウインドウ開閉用などのモータを駆動する駆動装置に係り、車両の海への転落などによる水没事故が生じた場合でも、モータの勝手な動作が防止できるとともに、電食や誤動作が生じ難い駆動装置を提供することを主目的としている。またさらに、水没時でも、操作に応じた動作が確実に実現される信頼性の高い駆動装置を提供することを目的としている。
【課題を解決するための手段】
【００１５】
本願の駆動装置は、モータに電源供給してそれぞれモータを正転又は逆転させる正転用リレーと逆転用リレーを有し、モータの正転方向又は逆転方向の動作を指令する操作部の作動状態に応じて、前記二つのリレーのうちのいずれか一方を作動させてモータを正転方向又は逆転方向に駆動する駆動装置であって、
本装置の水没を検出する水没検出手段と、
前記正転用リレーと逆転用リレーのコイルの両端子をそれぞれ短絡させるための正転側短絡ライン及び逆転側短絡ラインと、
これら正転側短絡ラインと逆転側短絡ラインをそれぞれ開閉する正転側短絡用スイッチング素子及び逆転側短絡用スイッチング素子と、
前記水没検出手段が水没を検出すると、前記正転側短絡用スイッチング素子及び逆転側短絡用スイッチング素子を両方ともオン状態とする短絡制御手段とを備えたものである。
【００１６】
ここで、「モータ」とは、電力によって機械的な駆動力を出力するアクチュエータであって、必ずしも回転型モータに限られず、例えばリニアモータであってもよいことはいうまでもない。また、「正転」又は「逆転」とは、「モータ」の一方向又は他方向の動作を意味し、必ずしも一方向又は他方向の回転運動に限定されるものでない。
また、「水没検出手段」は、例えば、水没により水が浸入し易いところに設けられ水没によるリークが発生し易いように構成された導体（オープン端子、パッド、スイッチ端子、ＨＩＣ端子、パターンギャップ等）よりなり、この導体を介して発生するリークによってこの導体に接続した出力端子の電圧が水没前後で変化するように構成されたものである。
また、「短絡制御手段」は、前記水没検出手段の検出信号により各短絡用スイッチング素子を駆動するものであれば、特に回路構成その他を限定されるものではなく、例えば、前記水没検出手段の出力電圧によって、各短絡用スイッチング素子を構成するトランジスタのベース電圧を直接制御して駆動する単純な回路よりなるものでもよいし、前記水没検出手段の検出信号を受けて短絡用スイッチング素子の駆動制御処理を行うマイコン（例えば、ワンチップマイコン、或いはその他）を含む回路、或いはマイコンを含まない回路であってもよい。また、上記「短絡制御回路」を構成する部分は、本装置の回路の少なくとも一部をＡＳＩＣ化又はカスタムＩＣ化する場合、このＩＣのチップ内に組み込む態様とすることも可能であり、小型化等の面ではこの態様が有効である。
【００１７】
本願の駆動装置では、装置が水没すると、水没検出手段がこれを検出し、短絡制御手段が正転側短絡用スイッチング素子及び逆転側短絡用スイッチング素子を両方ともオン状態とする。このため水没時には、正転用リレーと逆転用リレーのコイルの両方を短絡状態として各リレーを両方ともオフ状態とすることが可能であり、これにより水没によりモータが勝手に動作することを防止できる。しかも水没時に、非操作状態であれば、モータコイル端子の電位を両方ともグランド電位に安定的に維持できるので、前述の電食やリークの促進による発火や周辺回路の誤動作の問題が解消できる。
【００１８】
次に、本願の好ましい態様は、前記正転用リレーと逆転用リレーのうちの少なくとも何れか一方の通電ライン上に接続され、接続された通電ラインに係る方向のモータの作動を前記操作部が指令した操作状態になると閉状態となる通電用スイッチ接点と、
前記正転側短絡ラインと逆転側短絡ラインのうち、前記通電用スイッチ接点が接続された通電ラインの側の短絡ライン上に接続され、前記通電用スイッチ接点が閉状態になる動作に連動して開状態となる短絡解除用スイッチ接点とを備えたものである。
【００１９】
ここで、「通電ライン」とは、リレーコイルの高電位側端子を電源の高電位側に接続するライン、又はリレーコイルの低電位側端子をグランド側（アース又は電源の低電位側）に接続するラインを意味し、上記「通電用スイッチ接点」とは、リレーコイルの両端子が電源の高電位側とグランド側に接続された状態を形成してリレーコイルに通電する（リレーを駆動する）ためのスイッチ接点を意味する。
【００２０】
このような態様であると、上記通電用スイッチ接点と短絡解除用スイッチ接点が設けられた側のリレーに係る方向のモータの操作が水没時であっても確実に可能となる。操作部がその方向の動作を指令する操作状態になると、前記通電用スイッチ接点が閉状態となってその方向に係るリレーコイルの両端子が通電ライン上に接続され、しかも前記短絡解除用スイッチ接点の働きでそのリレーコイルの短絡状態が解除されるため、そのリレーコイルが確実に駆動されて、モータが操作方向に確実に動作するからである。
【００２１】
なお、上述したような通電用スイッチ接点と短絡解除用スイッチ接点は、両方向について設けられてもよいし、片方向についてのみ設けられてもよい。車両のパワーウインドウの場合には、例えば車両からの乗員の脱出等を容易にすべく、少なくともウインドウの開方向に設けて、ウインドウ開方向の操作の信頼性を確保することが好ましい。
【発明の効果】
【００２２】
本発明の駆動装置によれば、水没によるリークでモータが勝手に作動してしまう誤動作が防止できるとともに、既述した電食や発火等の問題が解消され、水没時の動作が安定するという優れた効果が得られる。さらに請求項２記載の態様であれば、モータを操作部の操作に応じて確実に動作させることができるという効果も得られる。
【発明を実施するための最良の形態】
【００２３】
以下、本発明の実施の形態を図面に基づいて説明する。
図１は、本例の駆動装置（車両のパワーウインドウの駆動装置）の回路構成の要部を示す図である。なお、装置の外観やスイッチの操作部の機械的構造などは図示省略している。また、図２に示した従来の装置と同様の構成要素には、同符号を使用して説明を省略する。また以下では、ウインドウの開方向がモータ１の正転方向であるとして説明する。
【００２４】
本装置は、図１に示すように、トランジスタ２１（ＴＲ１）と、トランジスタ２２（ＴＲ２）と、トランジスタ２３（ＴＲ３）と、トランジスタ２４（ＴＲ４）と、正転用スイッチ接点２５（ＤＯＷＮＳＷ）と、逆転用スイッチ接点２６（ＵＰＳＷ）と、オートスイッチ接点２７（ＡＵＴＯＳＷ）と、水没検出用パッド２８，２９と、短絡解除用スイッチ接点３０と、ショート防止用ヒューズ３１，３２と、制御処理回路４０とを備える。
また図１において、符号３３〜３８で示すものは、分圧用又はプルダウン或いはプルアップ用の抵抗であり、符号３９で示すものは、電流逆流防止用のダイオードである。
【００２５】
トランジスタ２１（ＴＲ１）は、正転用リレー２のコイル２ａの高電位側端子と低電位側端子を短絡させるための短絡ラインＬＳ１上に接続されて、この短絡ラインＬＳ１を開閉する正転側短絡用スイッチング素子である。
トランジスタ２２（ＴＲ２）は、逆転用リレー３のコイル３ａの高電位側端子と低電位側端子を短絡させるための短絡ラインＬＳ２上に接続されて、この短絡ラインＬＳ２を開閉する逆転側短絡用スイッチング素子である。
トランジスタ２３（ＴＲ３）は、正転用リレー２のコイル２ａの低電位側端子とグランド側との間を開閉する正転側通電用スイッチング素子である。
トランジスタ２４（ＴＲ４）は、逆転用リレー３のコイル３ａの低電位側端子とグランド側との間を開閉する逆転側通電用スイッチング素子である。
【００２６】
なおこの場合、トランジスタ２１，２２はＰＮＰ型トランジスタであり、トランジスタ２３，２４はＮＰＮ型トランジスタであるが、例えばＦＥＴ（電界効果型トランジスタ）によって、これらスイッチング素子を構成してもよい。また、昇圧回路を別途設けることにより、トランジスタ２１，２２をＮＰＮ型トランジスタとすることもできる。
【００２７】
正転用スイッチ接点２５（ＤＯＷＮＳＷ）は、トランジスタ２３及びヒューズ３１に対して並列に接続され、正転用リレーコイル２ａの低電位側端子とグランド側を接続するラインを開閉するもの（コイル２ａの通電用スイッチ接点）である。この正転用スイッチ接点２５は、操作部がモータ１の正転方向のマニュアル動作又はオート動作を指令した状態にあるときに閉状態となるノーマルオープン型のスイッチ接点（いわゆるａ接点）である。
逆転用スイッチ接点２６（ＵＰＳＷ）は、操作部がモータ１の逆転方向のマニュアル動作又はオート動作を指令した状態にあるときに閉状態となるａ接点である。
【００２８】
オートスイッチ接点２７（ＡＵＴＯＳＷ）は、操作部がモータ１の各方向のオート動作を指令した状態にあるときに閉状態となるａ接点である。
この場合、正転用スイッチ接点２５、逆転用スイッチ接点２６、及びオートスイッチ接点２７の一方の端子（高電位側端子）は、図２に示すようにプルアップ抵抗３７を介して電源ラインＬ２（電圧Ｖｄｄ；例えば５Ｖ）に接続されるとともに、分圧抵抗３８を介して制御処理回路４０の後述する入力端子ＩＭＤ，ＩＭＵ，ＩＡに接続され、他方の端子（低電位側端子）はグランドラインＬＧに接続されている。
【００２９】
水没検出用パッド２８，２９は、装置の水没により水が浸入し易いところに設けられ、水没によるリークが発生し易いように相互に微小間隔で配置されたパッド状の電極であり、本発明の水没検出手段を構成している。これら水没検出用パッド２８，２９のうち、一方のパッド２９はグランド側に接続され、他方のパッド２８は、分圧抵抗３４を介してトランジスタ２１，２２のベース端子に接続されるとともに、分圧抵抗３４とプルアップ抵抗３３を介して電源ラインＬ１に接続されている。これにより、水没時には、水没検出用パッド２８，２９間に発生するリークによって、トランジスタ２１，２２のベース電圧が高電位から低電位に変化して、トランジスタ２１，２２がオン状態（閉状態）となる。したがってこの場合には、上記水没検出用パッド２８，２９を電源ラインＬ１や上記ベース端子に接続するラインや抵抗３３，３４が、本発明の短絡制御手段を構成しており、短絡制御手段は、極めて簡素で安価な構成となっている。
【００３０】
短絡解除用スイッチ接点３０は、正転側短絡ラインＬＳ１上に、トランジスタ２１に対して直列に接続され、正転用スイッチ接点２５（通電用スイッチ接点）が閉状態になる動作に連動して開状態となり、正転用リレーコイル２ａの短絡状態を強制解除するノーマルクローズド型のスイッチ接点（いわゆるｂ接点）である。
【００３１】
ショート防止用ヒューズ３１，３２は、トランジスタ２３，２４とリレーコイル２ａ，３ａの間にそれぞれ接続された例えばパターンヒューズであり、水没時のリーク或いは制御処理回路４０の誤動作等に起因して、短絡ラインＬＳ１，ＬＳ２とトランジスタ２３，２４を経由して電源側とグランド側がショートして大電流が流れるのを阻止する。
【００３２】
制御処理回路４０は、マイコンを含む回路であり、信号端子としてＩＡ，ＩＭＤ，ＩＭＵ，ＯＤ，ＯＵを有する。
このうち、ＩＡは、オートスイッチ接点２７の高電位側端子に前述の分圧抵抗３８を介して接続されており、オートスイッチ接点２７がオンすると電圧が高電位（Ｈ）から低電位（Ｌ）に変化する入力端子である。
【００３３】
またＩＭＤは、正転用スイッチ接点２５の高電位側端子に分圧抵抗３８を介して接続された入力端子である。この場合、正転用スイッチ接点２５がオンすると、この入力端子ＩＭＤの電圧は、高電位から低電位に変化する。
またＩＭＵは、逆転用スイッチ接点２６の高電位側端子に分圧抵抗３８を介して接続された入力端子である。この場合、逆転用スイッチ接点２６がオンすると、この入力端子ＩＭＵの電圧は、高電位から低電位に変化する。
【００３４】
またＯＤは、分圧抵抗３５を介してトランジスタ２３のベース端子に接続され、出力電圧が高電位になることによりトランジスタ２３をオンさせ、出力電圧が低電位になることによりトランジスタ２３をオフさせる出力端子である。
またＯＵは、分圧抵抗３５を介してトランジスタ２４のベース端子に接続され、出力電圧が高電位になることによりトランジスタ２４をオンさせ、出力電圧が低電位になることによりトランジスタ２４をオフさせる出力端子である。
【００３５】
そして制御処理回路４０は、入力端子ＩＡ，ＩＭＤ，ＩＭＵの状態によって出力端子ＯＤ，ＯＵの出力電圧を変化させることによって、次のような制御を実現する処理機能を有する。
即ち、操作部が非操作状態（入力端子ＩＡ，ＩＭＤ，ＩＭＵの電圧が高電位の状態）にあるときには、各通電用スイッチング素子（トランジスタ２３，２４（ＴＲ３，ＴＲ４））をオフ状態に維持し、操作部がモータの正転方向のマニュアル動作を指令した操作状態（ＩＭＤの電圧のみが低電位の状態）にあるときには、トランジスタ２３をオン状態とし、操作部がモータ１の逆転方向のマニュアル動作を指令した操作状態（ＩＭＵの電圧のみが低電位の状態）にあるときには、トランジスタ２４をオン状態とする。
なお本例では、マニュアル動作時の正転用リレーコイル２ａへの通電は、正転用スイッチ接点２５の働きにより実現できるので、操作部がモータの正転方向のマニュアル動作を指令した操作状態にあるときに、トランジスタ２３をオン状態とする必要は必ずしもなく、正転方向のマニュアル操作時にはトランジスタ２３をオフ状態のままとする制御内容でもよい。
【００３６】
また、操作部がモータ１の正転方向のオート動作を指令した操作状態（ＩＭＤとＩＡの電圧が低電位の状態）になると、所定の正転方向オート動作終了タイミング（ウインドウの全開検出時点）までの間、トランジスタ２３をオン状態に維持し、操作部がモータ１の逆転方向のオート動作を指令した操作状態（ＩＭＵとＩＡの電圧が低電位の状態）になると、所定の逆転方向オート動作終了タイミング（ウインドウの全閉検出時点）までの間、トランジスタ２４をオン状態に維持する。
【００３７】
以上のように構成された本例の駆動装置では、操作部が非操作状態にあるときには、各通電用スイッチング素子（トランジスタ２３，２４）が制御処理回路４０の制御によってオフ状態に維持される。また水没時には、前述した水没検出用パッド２８，２９等の作用により、各短絡用スイッチング素子（トランジスタ２１，２２）がオン状態に維持され、各リレーコイル２ａ，３ａが短絡状態に保持される。このため、操作部が非操作状態にあるときには、各リレーコイル２ａ，３ａは非通電状態に維持され、リレー２，３が両方ともオフ状態に維持され、モータ１のコイル両端はグランド側に接続された状態に維持される。特に水没状態では、各リレーコイル２ａ，３ａが短絡されるため、例えば制御処理回路４０の誤動作やリーク電流により、操作部が非操作状態であるにもかかわらずトランジスタ２３又は２４がオン状態に駆動されてしまったような場合でも、各リレー２，３をオフ状態に確実に維持できる。したがって、既述した水没による電食や発火等の問題が解消されるとともに、操作部が非操作状態にあるときには、水没時でもモータ１が勝手に動作することを信頼性高く防止できる。
【００３８】
また、操作部が正転方向に操作されてウインドウの開方向へのマニュアル動作が指令された状態では、正転用スイッチ接点２５が閉状態になるとともに、短絡解除用スイッチ接点３０が開状態となる。これにより、正転用のリレーコイル２ａが電源の高電位側とグランド側との間（即ち、通電ライン上）に接続されるとともに、水没時であっても短絡ラインＬＳ１によるリレーコイル２ａの短絡状態が解除されて、リレーコイル２ａが確実に駆動される（リレーコイル２ａに確実に所定の両端電位差が発生する）。このため、水没状態であっても、モータ１が操作部の操作に応じて正転方向に確実に作動し、ウインドウが確実に開方向に動作する。なお、操作部のこの操作が解除されると、その時点で正転用スイッチ接点２５が開状態に戻る（水没状態では短絡解除用スイッチ接点３０も閉状態に戻る）ので、この動作は即座に停止されウインドウの開方向へのマニュアル動作が信頼性高く実現される。
【００３９】
また、操作部が逆転方向に操作されてウインドウの閉方向へのマニュアル動作が指令された状態では、逆転用スイッチ接点２６が閉状態となり、制御処理回路４０の制御によってトランジスタ２４がオン状態とされる。これにより、水没状態でなければ、逆転用のリレーコイル３ａが通電ライン上に接続されて、リレーコイル３ａが確実に駆動されるため、ウインドウの開方向と同様に、ウインドウの閉方向へのマニュアル動作が実現される。
【００４０】
さらに、操作部がモータ１の正転方向のオート動作を指令した操作状態になると、所定のオート動作終了タイミングまでの間（ウインドウが全開となるまでの間）、トランジスタ２３がオン状態に維持される。これにより、水没状態でない限り、リレーコイル２ａが通電ライン上に接続されて、リレーコイル２ａが確実に駆動されるため、モータ１が操作部の操作に応じてオート動作終了タイミングまで確実に正転方向に作動し、ウインドウ開方向へのオート動作が実現される。
【００４１】
また同様に、操作部がモータ１の逆転方向のオート動作を指令した操作状態になると、所定のオート動作終了タイミングまでの間（ウインドウが全閉となるまでの間）、トランジスタ２４がオン状態に維持される。これにより、水没状態でない限り、リレーコイル３ａが通電ライン上に接続されて、リレーコイル３ａが確実に駆動されるため、モータ１が操作部の操作に応じてオート動作終了タイミングまで確実に逆転方向に作動し、ウインドウ閉方向へのオート動作が実現される。
【００４２】
なお、上述したオート動作中に（所定のオート動作終了タイミング前に）、ウインドウの動作を中断して停止させなければならない場合（例えば、操作部が逆向きに操作された場合、或いは異物の挟み込みを検出した場合）には、制御処理回路４０の制御処理によって、オンしていたトランジスタをオフ状態に戻せばよい。
【００４３】
つまり、本例の駆動装置によれば、水没事故が生じた場合でも、モータ１が勝手に作動してウインドウが勝手に動作する誤動作が防止されるとともに、操作部の操作に応じて的確にモータ１を作動させてウインドウを開方向に動作（マニュアル動作）させることができる（マイコンが正常動作しない場合も有効）。しかも、水没時にモータコイルの両端がグランド電位に維持されるため、既述した電食や発火等の問題が解消され、水没時の動作が安定するという優れた効果が得られる。また、各リレー２，３を必要以上にオンさせないため、リレーの動作電圧と復帰電圧の関係で、どちらか一方のリレーのみオンする誤動作も防止できるという利点も得られる。
なお、図１に示す回路において、符号Ｘ１，Ｘ２で示す箇所の回路導体には、防水用のコーティングを施すことが望ましい。そうすれば、この回路導体とトランジスタ２１，２２を経由して、バッテリ電位がグランド側にリークすることを防止できる。
【００４４】
なお、本発明は上述した形態例に限られず、各種の変形や応用があり得る。
例えば、同様の回路構成で車両のサンルーフやパワーシートの駆動装置を実現し、同様の効果を奏することができる。
また本発明は、オート動作機能を持たない駆動装置や、マイコンを含む制御処理回路を持たない駆動装置に適用することもできる。例えば、図１に示す回路構成において、オートスイッチ接点２７、トランジスタ２３，２４、及び制御処理回路４０を削除し、各リレーコイル２ａ，３ａの通電ラインを各スイッチ接点２５，２６でそれぞれ直接開閉するようにした構成であってもよい。
【００４５】
また上記形態例は、本発明の通電用スイッチ接点とこれに連動する短絡解除用スイッチ接点をモータの正転方向（ウインドウの開方向）についてのみ設けた例であるが、モータの逆転方向（ウインドウの閉方向）についてのみ設けてもよいし、モータの正転方向と逆転方向の両方について設けてもよい。モータの逆転方向に設ければ、水没時にモータの逆転方向の動作も操作に応じて確実に実行される。
【００４６】
また、スイッチ接点の出力信号やトランジスタ駆動信号の態様（アクティブローかアクティブハイ）は、上記形態例に限定されるものではなく、適宜設計変更可能である。
また上記形態例では、各リレーコイル２ａ，３ａの通電ラインの低電位側（グランド側）を開閉して各リレーの通電操作又は通電制御を実行する構成（ローサイド駆動）であるが、原理的にはハイサイド駆動とすることも可能である。但し、通電用のトランジスタを各リレーコイル２ａ，３ａの通電ラインの高電位側に接続してハイサイド駆動する態様の場合には、高電位側に接続したトランジスタにリークによる大電流が流れる恐れが比較的高く、またこの大電流を防止することが比較的困難であるので、そのような観点からは、図１に例示したローサイド駆動の態様が優れている。
【００４７】
また、図１における回路構成では、水没時のリレーコイル２ａの通電操作を実現するための通電用スイッチ接点と、制御処理回路４０に開方向のマニュアル動作の操作信号を入力するためのスイッチ接点とを、共通のスイッチ接点２５により実現しているが、これらは別個のスイッチ接点として設けてもよい。
【図面の簡単な説明】
【００４８】
【図１】駆動装置の要部回路構成を示す図である。
【図２】従来の駆動装置を示す回路図である。
【符号の説明】
【００４９】
１  モータ
２  正転用リレー
３  逆転用リレー
２ａ  正転用リレーのコイル
３ａ  逆転用リレーのコイル
２１  トランジスタ（正転側短絡用スイッチング素子）
２２  トランジスタ（逆転側短絡用スイッチング素子）
２３  トランジスタ（逆転用高電位側スイッチング素子）
２４  トランジスタ（逆転用低電位側スイッチング素子）
２５  正転用スイッチ接点（通電用スイッチ接点）
２６  逆転用スイッチ接点
２８，２９  水没検出用パッド（水没検出手段）
３０  短絡解除用スイッチ接点
３３，３４  抵抗（短絡制御手段）
４０  制御処理回路
ＬＳ１  正転側短絡ライン
ＬＳ２  逆転側短絡ライン
【図１】
2005065442.tif 000003
【図２】
2005065442.tif 000004